(57)【要約】      （修正有）【課題】イルミネーション効果を有する鯉のぼりを提供する。【解決手段】屋外設置型鯉のぼりセット又は、室内設置型鯉のぼりセットの鯉のぼり本体であって、前記鯉のぼり本体の胴体内部に光源を備えてなる。光源は、発光ダイオードによって形成されている。鯉のぼり本体の胴体内部には、鯉型不織布製袋体が内装され、該鯉型不織布製袋体には、透光性緩衝物質等からなる詰装材が詰装され、詰装材によって透光性筒体を支持し、透光性筒体の筒内に発光ダイオードの光源を配置する。発光ダイオードの光源は、電源収納部の電源に接続され、電源収納部のスイッチ操作によって、光源の点灯・消灯を行う。【選択図】図１
0003162868.tif 000002
【実用新案登録請求の範囲】
【請求項１】
屋外設置型鯉のぼりセット又は、室内設置型鯉のぼりセットの鯉のぼり本体であって、前記鯉のぼり本体の胴体内部に光源を備えてなることを特徴とする光源内蔵型鯉のぼり。
【請求項２】
前記光源は、発光ダイオードによって形成されていることを特徴とする請求項１に記載の光源内蔵型鯉のぼり。
【請求項３】
前記発光ダイオードの光源は、鯉のぼり本体の内部に実装されていることを特徴とする請求項１、２いずれかに記載の光源内蔵型鯉のぼり。
【請求項４】
前記鯉のぼり本体の胴体内部には、鯉型不織布製袋体が内装され、該鯉型不織布製袋体には、透光性緩衝物質等からなる詰装材が詰装され、該詰装材によって透光性筒体を支持し、該透光性筒体の筒内に前記発光ダイオードの光源を配置したことを特徴とする請求項１．２いずれかに記載の光源内蔵型鯉のぼり。
【請求項５】
前記発光ダイオードは、電源収納部の電源に接続され、電源収納部のスイッチ操作によって、前記光源の点灯・消灯を行うようにしたことを特徴とする請求項１．２いずれかに記載の光源内蔵型鯉のぼり。
【考案の詳細な説明】
【技術分野】
【０００１】  本考案は光源内蔵型鯉のぼりに関するものである。
【技術背景】
【０００２】  従来、五月五日の端午の節句には、男の子の成長を祝って屋外設置型鯉のぼりや室内設置型鯉のぼりが飾り立てられる。しかし、この種の鯉のぼりセットの飾り主体となる鯉のぼり本体には、電飾効果（イルミネーション効果）を発揮するような機能が具備されていない。
【０００３】  したがって、夜間の暗がりの中で、屋外に設置している鯉のぼりを看取することは甚だ難しく、また薄暗い消灯室内での室内飾り鯉のぼりの看取は見難いものである。
【考案の開示】
【考案が解決しようとする課題】
【０００４】  本考案は、上記のような不都合を一掃することを目的として創案されたものであって、詳しくは本考案は、屋外設置型鯉のぼりセットの飾り主体となる鯉のぼり本体及び室内設置型鯉のぼりセットの飾り主体となる鯉のぼり本体に、電飾機能（イルミネーション効果）を具備してなる光源内蔵型鯉のぼりを提供することを目的とするものである。
【課題を解決するための手段】
【０００５】  上記課題を解決するため、本考案が採用した技術手段は、屋外設置型鯉のぼりセット又は、室内設置型鯉のぼりセットの鯉のぼり本体であって、前記鯉のぼり本体の胴体内部に光源を備えてなることを特徴とする（請求項１）。【０００６】  前記光源は、発光ダイオードによって形成されていることを特徴とする（請求項２）。【０００７】  前記発光ダイオードの光源は鯉のぼり本体の内部に実装されていることを特徴とする（請求項３）。【０００８】  前記鯉のぼり本体の胴体内部には、鯉型不織布製袋体が内装され、該鯉型不織布製袋体には、透光性緩衝物質等からなる詰装材が詰装され、該詰装材によって透光性筒体を支持し、該透光性筒体の筒内に前記発光ダイオードの光源を配置したことを特徴とする（請求項４）。【０００９】  前記発光ダイオードは、電源収納部の電源に接続され、電源収納部のスイッチ操作によって、前記光源の点灯・消灯を行うようにしたことを特徴とする（請求項５）。
【考案を実施する最良の形態】
【００１０】  本考案に係る鯉のぼり本体の実施形態を添付図面に基き説明すると、鯉のぼり本体１は化学繊維生地等を素材にして鯉の形に縫製加工される。
【００１１】  前記鯉のぼり本体１の胴体２には、鯉型不織布製袋体３が内装され、該鯉型不織布製袋体３に透光性緩衝物質等からなる詰装材４が詰装され、該詰装体４によって透光性筒体５を支持する。
【００１２】  そして、前記透光性筒体５の筒内に鯉のぼり本体１の光源となる発光ダイオード６が配置されるように形成してある。
【００１３】  発光ダイオードの個数，配置は、複数の発光ダイオードを高さを異ならして配設することが好ましい。
【００１４】  発光ダイオード６は、電源収納部の電源７に接続され、電源収納部のスイッチ（図示しない。）操作によって、前記発光ダイオード６（光源）の点灯・消灯を可能にしている。
【００１５】  発光ダイオード６（光源）の点灯方式は、公知の方法によって全灯，点滅，調光、これらの併用とすることができる。
【００１６】  本考案において、鯉のぼりとは、上述した如く、屋外設置型鯉のぼりセットで使用される鯉のぼり本体，室内設置型鯉のぼりセット（例えば、壁掛けタイプの鯉のぼり）で使用される鯉のぼり本体を指すものである。
【考案の効果】
【００１７】  本考案に係る光源内蔵型鯉のぼりは、［請求項１］ないし［請求項５］に記載の技術手段を特徴としたから、以下に記載するような効果を奏するものである。
【００１８】  鯉のぼり本体の胴体内部に実装される発光ダイオード（複数光源）の発光によって、鯉のぼり本体に電飾（イルミネーション）効果を付与することができるから、夜間でも屋外設置型鯉のぼりの設置位置と存在を容易に感知することができ、また、室内が消灯された状態であっても、室内設置型鯉のぼりの飾り位置や鯉のぼりの存在を容易に感知することができる。
【００１９】  発光ダイオードの発光は透光性筒体を透過し、透光性緩衝物質（詰装材）に反射し、結果として該反射光が鯉のぼり本体の生地全体に映えることになる。
【００２０】  また、発光ダイオードを光源として使用することにより、鯉のぼり本体の長時間発光を可能にする。
【００２１】  更に、詰装材を内包した形態の鯉型不織布製袋体は、鯉のぼり本体の芯となり、鯉のぼり本体の保形効果を果すことができる。
【００２２】  更には、鯉のぼり本体が発光するから、従来の光源を有しない鯉のぼりに比して斬新性，意外性に富み、一段と美観が向上し、看る者に新趣向感覚を印象付け、しかも、鯉のぼりの設置場所や存在を容易に認知することができる鯉のぼりを提供することができる。
【図面の簡単な説明】
【図１】  鯉のぼり本体の概略構造を示す説明図である。
【符号の説明】  １  鯉のぼり本体
２  胴体
３  鯉型不織布製袋体
４  詰装材
５  透光性筒体
６  発光ダイオード
７  電源
【図１】
0003162868.tif 000003
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
屋外設置型鯉のぼりセット又は、室内設置型鯉のぼりセットの鯉のぼり本体であって、前記鯉のぼり本体の胴体内部に光源を備えてなることを特徴とする光源内蔵型鯉のぼり。
【請求項２】
前記光源は、発光ダイオードによって形成されていることを特徴とする光源内蔵型鯉のぼり。
【請求項３】
前記鯉のぼり本体の胴体内部には、鯉型不織布製袋体が内装され、該鯉型不織布製袋体には、透光性緩衝物質等からなる詰装材が詰装され、該詰装材によって透光性筒体を支持し、該透光性筒体の筒内に前記発光ダイオードの光源を配置したことを特徴とする光源内蔵型鯉のぼり。
【請求項４】
前記発光ダイオードの光源は、電源収納部の電源に接続され、電源収納部のスイッチ操作によって、点灯・消灯を行うようにしたことを特徴とする光源内蔵型鯉のぼり。
【手続補正書】
【提出日】平成22年7月5日(2010.7.5)
【手続補正１】
【補正対象書類名】実用新案登録請求の範囲
【補正対象項目名】全文
【補正方法】変更
【補正の内容】
【実用新案登録請求の範囲】
【請求項１】
屋外設置型鯉のぼりセット又は、室内設置型鯉のぼりセットの鯉のぼり本体であって、前記鯉のぼり本体の胴体内部に光源を備えてなることを特徴とする光源内蔵型鯉のぼり。
【請求項２】
前記光源は、発光ダイオードによって形成されていることを特徴とする請求項１記載の光源内蔵型鯉のぼり。
【請求項３】
前記鯉のぼり本体の胴体内部には、鯉型不織布製袋体が内装され、該鯉型不織布製袋体には、透光性透光性緩衝物質等からなる詰装材が詰装され、該詰装材によって透光性筒体を支持し、該透光性筒体の筒内に前記発光ダイオードの光源を配置することを特徴とする請求項２記載の光源内蔵型鯉のぼり。
【請求項４】
前記発光ダイオードの光源は、電源収納部の電源に接続され、電源収納部のスイッチ操作によって、点灯・消灯を行うようにしたことを特徴とする請求項２記載の光源内蔵型鯉のぼり。